(57)【要約】【課題】光源を選択するための切替スイッチの数を光源数よりも少なくする【解決手段】切替制御部１２４には、外部から解像度指定信号が入力されるようになっている。この解像度指定信号に基づいて、前記切替スイッチ１２２の接点が切り替えられる。指定された解像度が１２００ｄｐｉの場合には切替スイッチ１２２は第１の接点１２２Ｂに切り替えられ、発光素子２０Ａ、２０Ｂによる同時主走査が実行される。指定された解像度が６００ｄｐｉの場合には切替スイッチ１２２は第２の接点１２２Ｃに切り替えられ、発光素子２０Ａ、２０Ｃによる同時主走査が実行される。入力端数をＮ、発光素子数をＲとして一般化すると、入力端の数Ｎ≧２、入力端の数Ｎ＜発光素子の数Ｒ、Ｎ−１個が発光素子と常時接続、Ｒ−Ｎ個の切替スイッチを満足させればよい。【選択図】図４
2010099961.tif 000002
【特許請求の範囲】
【請求項１】
複数系統のデータ信号線がそれぞれ接続されるＮ（Ｎは２以上の整数）個の入力端と、
複数の発光素子がそれぞれ接続されるＲ（Ｒは整数、かつ、Ｒ＞Ｎ）個の出力端と、
Ｎ−１個の前記入力端がＮ−１個の前記出力端に直接配線され、当該直接接続された入力端以外の入力端がＲ−Ｎ個の切替スイッチを介して２個以上の出力端に選択的に接続するように配線され、制御信号に基づいて、前記切替スイッチを動作させることで発光素子を選択する選択手段と、
前記直接配線に対応する出力端に接続された発光素子と、前記選択手段で選択された出力端に接続された発光素子とを、前記データ信号線から入力されるデータに基づいて点灯制御する点灯制御手段と、
を有する光源駆動制御装置。
【請求項２】
複数のデータ信号線がそれぞれ接続されるＮ（Ｎは２以上の整数）個の入力端と、
複数の発光素子がそれぞれ接続されるＲ（Ｒは整数、かつ、Ｒ＞Ｎ）個の出力端と、
Ｎ−１個の前記入力端がＮ−１個の前記出力端に直接配線され、当該直接接続された入力端以外の入力端がＲ−Ｎ個の切替スイッチを介して２個以上の出力端に選択的に接続するように配線され、制御信号に基づいて、前記切替スイッチを動作させることで発光素子を選択する選択手段と、
前記直接配線に対応する出力端に接続された発光素子と、前記選択手段で選択された出力端に接続された発光素子とを、前記データ信号線から入力されるデータに基づいて点灯制御する点灯制御手段と、
像保持体の周面を一様に帯電し、前記一様に帯電された像保持体へ、前記データ信号線から入力する画像データに応じて、前記発光素子からの複数本の光ビームによって同時に複数ラインを主走査しながら像保持体を副走査することで、像保持体の周面に静電潜像を形成した後、現像器によりトナーを用いて現像すると共に、記録媒体へ直接、或いは中間転写体を介してトナー画像を転写し、当該転写したトナー画像を定着することで画像を形成する画像形成部と、
を有する画像形成装置。
【請求項３】
前記入力端と出力端とが直接接続された発光素子と、前記切替スイッチの切り替えによって選択された発光素子との組み合わせにより、異なる解像度で同時に主走査される請求項２記載の画像形成装置。
【請求項４】
前記切替スイッチが、画像形成時に設定される解像度に基づいて切替制御される請求項２又は請求項３記載画像形成装置。
【発明の詳細な説明】
【技術分野】
【０００１】
本発明は、光源駆動装置及び画像形成装置に関するものである。
【背景技術】
【０００２】
従来、この種の電子写真方式を適用した複写機、プリンタ、ファクシミリあるいはこれらの複合機等の画像形成装置では、像保持体としての感光体ドラムを中心として、この感光体ドラムの周面に対向するように帯電部、光走査部、現像部、転写部等が配置されている。
【０００３】
特許文献１には、画像形成装置として、記録媒体を同時にスキャンする少なくとも３つのレーザビーム（光ビーム）を含み、これらレーザビームは、相互に均一或いは不均一に離間され、レーザビーム数と同等若しくはそれ以上の数で構成された切替スイッチの切り替え操作によって、走査ピッチが異なる印刷解像度となり得ることが開示されている。
【特許文献１】特表２００２−５２１２４８号公報
【発明の開示】
【発明が解決しようとする課題】
【０００４】
本発明は上記事実を考慮し、光源を選択するための切替スイッチの数を光源数よりも少なくすることができる光源駆動制御装置及び画像形成装置を得ることが目的である。
【課題を解決するための手段】
【０００５】
請求項１に記載の発明は、複数系統のデータ信号線がそれぞれ接続されるＮ（Ｎは２以上の整数）個の入力端と、複数の発光素子がそれぞれ接続されるＲ（Ｒは整数、かつ、Ｒ＞Ｎ）個の出力端と、Ｎ−１個の前記入力端がＮ−１個の前記出力端に直接配線され、当該直接接続された入力端以外の入力端がＲ−Ｎ個の切替スイッチを介して２個以上の出力端に選択的に接続するように配線され、制御信号に基づいて、前記切替スイッチを動作させることで発光素子を選択する選択手段と、前記直接配線に対応する出力端に接続された発光素子と、前記選択手段で選択された出力端に接続された発光素子とを、前記データ信号線から入力されるデータに基づいて点灯制御する点灯制御手段と、を有している。
【０００６】
請求項２に記載の発明は、複数のデータ信号線がそれぞれ接続されるＮ（Ｎは２以上の整数）個の入力端と、複数の発光素子がそれぞれ接続されるＲ（Ｒは整数、かつ、Ｒ＞Ｎ）個の出力端と、Ｎ−１個の前記入力端がＮ−１個の前記出力端に直接配線され、当該直接接続された入力端以外の入力端がＲ−Ｎ個の切替スイッチを介して２個以上の出力端に選択的に接続するように配線され、制御信号に基づいて、前記切替スイッチを動作させることで発光素子を選択する選択手段と、前記直接配線に対応する出力端に接続された発光素子と、前記選択手段で選択された出力端に接続された発光素子とを、前記データ信号線から入力されるデータに基づいて点灯制御する点灯制御手段と、像保持体の周面を一様に帯電し、前記一様に帯電された像保持体へ、前記データ信号線から入力する画像データに応じて、前記発光素子からの複数本の光ビームによって同時に複数ラインを主走査しながら像保持体を副走査することで、像保持体の周面に静電潜像を形成した後、現像器によりトナーを用いて現像すると共に、記録媒体へ直接、或いは中間転写体を介してトナー画像を転写し、当該転写したトナー画像を定着することで画像を形成する画像形成部と、を有している。
【０００７】
請求項３に記載の発明は、前記請求項２に記載の発明において、前記入力端と出力端とが直接接続された発光素子と、前記切替スイッチの切り替えによって選択された発光素子との組み合わせにより、異なる解像度で同時に主走査される。
【０００８】
請求項４に記載の発明は、前記請求項２又は請求項３に記載の発明において、前記切替スイッチが、画像形成時に設定される解像度に基づいて切替制御される。
【発明の効果】
【０００９】
請求項１に記載の発明によれば、光源を選択するための切替スイッチの数を光源数よりも少なくすることができる。
【００１０】
請求項２に記載の発明によれば、解像度変更時に光源を選択するための切替スイッチの数を光源数よりも少なくすることができる。
【００１１】
請求項３記載の発明によれば、発光素子を切替スイッチによって選択して解像度を変更することができる。
【００１２】
請求項４記載の発明によれば、解像度に応じた信号により切替スイッチの切替操作をすることができる。
【発明を実施するための最良の形態】
【００１３】
（画像形成装置の全体構成）
図１に示すように、画像形成装置１０はケーシング１２を備え、このケーシング１２内には、図１の矢印Ａ方向に回転する感光体ドラム１４と、画像データに基づいて光ビームＢを感光体ドラム１４へ主走査しながら照射する光走査装置１６とが設けられている。この光走査装置１６の筐体１８の内部には、レーザー光源アレイ２０、回転多面鏡２２及びミラー（反射鏡）２３等が配設されている。
【００１４】
一方、感光体ドラム１４の周面近傍には、感光体ドラム１４の回転方向上流側から順に、帯電器２４、現像器２６、転写器２８、クリーナー３０が配置されている。感光体ドラム１４は、帯電器２４によって一様に帯電された後、光走査装置１６から光ビームＢが照射される。これにより、感光体ドラム１４の周面上に画像データに応じた静電潜像が形成される。
【００１５】
静電潜像が形成された感光体ドラム１４は、現像器２６からトナーが供給され、光走査装置１６によって光ビームＢが照射された部分にトナーを付着するようになっている（光ビームＢが照射されない部分にトナーが付着する場合もある）。これにより、感光体ドラム１４の周面上にトナー像が形成される。
【００１６】
感光体ドラム１４上に形成されたトナー像は、転写器２８によって、用紙トレイ３２又は手差しトレイ３４から、搬送される用紙３６へ転写される。転写後、感光体ドラム１４の周面に残留しているトナーは、クリーナー３０によって除去される。
【００１７】
トナー像が転写された用紙３６は、用紙３６の搬送方向下流側に設けられた定着器３８に搬送され（矢印Ｃ方向参照）、定着器３８の加熱ローラ４０と加圧ローラ４２によって、転写されたトナー像が用紙３６へ熱圧着される。画像定着がなされた用紙３６は排出トレイ４４に排出される。
【００１８】
上記構成の画像形成装置１０は単色画像に対応するが、この構成を例えば、Ｃ（シアン）色用画像形成部、Ｍ（マゼンタ）色用画像形成部、Ｙ（イエロー）色用画像形成部、Ｋ（黒）色用画像形成部として４連に配置し、それぞれで形成した画像を重ねて転写することでカラー画像形成装置としてもよい。
【００１９】
また、現像器２６を、９０°毎にＣ色、Ｍ色、Ｙ色、Ｋ色の現像部となったロータリ式構成としを搭載し、感光体ドラム１４への静電潜像の書込み、並びに現像を４回繰り返し、画像を重ねて転写することで、カラー画像形成装置としてもよい。
【００２０】
なお、重ねて転写する場合、直接記録用紙でもよいし、ベルト又はドラム等の中間転写体を介してもよい。
【００２１】
（光走査装置１６）
図２に示される如く、光走査装置１６は、制御系を含む光出力装置４６の構造を示したものであり、レーザー光源２０から発光された光ビームＢの照射方向上流側から順に、コリメータレンズ４８、シリンドリカルレンズ５０、回転多面鏡２２、ｆθレンズ５２Ａ、ｆθレンズ５２Ｂ、ミラー２３が設けられている。
【００２２】
なお、本実施の形態のレーザー光源アレイ２０は、Ｒ個（本実施の形態では、3個）の発光素子２０Ａ、２０Ｂ、２０Ｃ（図４参照）が副走査方向に配列された構成となっている。
【００２３】
本実施の形態では、１個の発光素子２０Ａが常時照射対象の発光素子であり、残りの２個の発光素子２０Ｂ、２０Ｃの何れか一方が選択照射対象の発光素子とされる。結果として２個の発光素子から同時に光ビームが照射される。
【００２４】
すなわち、本実施の形態では、同時に主走査の２ライン分の画像データが入力され、同時に２ライン走査で画像形成処理が実行されるようになっている（図１及び図２では、簡易的に全ての光ビームＢを１本の線で示している）。
【００２５】
ここで、図３に示される如く、３個の発光素子２０Ａ、及び発光素子２０Ｂ又は２０Ｃから照射される感光体ドラム１４上の主走査ラインピッチ寸法の内、発光素子２０Ａ−発光素子２０Ｂ間は２１μｍ（１２００ｄｐｉ相当）であり、発光素子２０Ａ−発光素子２０Ｃ間は４２μｍとなっている。
【００２６】
すなわち、印刷時の解像度指定が１２００ｄｐｉの場合は発光素子２０Ｂが選択される。また、印刷時の解像度指定が６００ｄｐｉの場合は、発光素子２０Ｃが選択される。なお、発光素子２０Ａは常時照射対象となる。
【００２７】
この発光素子２０Ｂ又は２０Ｃの選択は、光量制御装置５６（図４参照）によって実行される（詳細後述）。
【００２８】
図２に示される如く、レーザー光源アレイ２０から発光された光ビームＢは、コリメータレンズ４８によって略平行光とされ、さらに、シリンドリカルレンズ５０を透過することで、副走査方向に絞られた光ビームＢとなって、回転多面鏡２２上へ照射される。
【００２９】
回転多面鏡２２が、図示しないモータによって矢印Ｄ方向に高速で回転することにより、回転多面鏡２２上へ照射された光ビームＢは、周面に設けられた複数の反射面２２Ａで反射されて、感光体ドラム１４へ偏向走査（主走査）される。
【００３０】
なお、本実施の形態の回転多面鏡２２は、図２では、８面構造となっているが、この面数に限定されるものではない。例えば、オーバーフィルド走査系では、面数が１２面がある。
【００３１】
回転多面鏡２２の反射面２２Ａで偏向された光ビームＢは、２枚組のｆθレンズ５２Ａ、５２Ｂを透過し、ミラー２３の反射面で反射して折り返し、図示しない防塵対策のガラスを透過して感光体ドラム１４上に結像される。また、ミラー２３により反射し、感光体ドラム１４へと至る光路上（主走査方向始点側）には、ＳＯＳセンサ６８が設けられている。このＳＯＳセンサ６８には、回転多面鏡２２によって反射され、主走査される光ビームが入射され、その検出結果が主走査タイミングのパラメータとして適用される。
【００３２】
レーザー光源アレイ２０は、光源駆動制御装置としてのレーザー駆動ユニット５４に接続されている。レーザー駆動ユニット５４は、データ制御装置５８、光量制御装置５６を備えている。
【００３３】
データ制御装置５８は、別々の伝送ライン６０、６２でシーケンスコントロールユニット６４と、ビデオコントロールユニット６６とに接続されている。
【００３４】
データ制御装置５８では、ビデオコントロールユニット６６から入力された画像データを光量制御装置５６へ送出する。光量制御装置５６では、画像データを受け入れると、この画像データに基づいて、画像形成領域内に画像形成する画像書込点灯モードでレーザー光源アレイ２０を駆動するようになっている（画像書込モード）。
【００３５】
また、光量制御装置５６は、シーケンスコントロールユニット６４と接続されており、このシーケンスコントロールユニット６４による制御の下、画像書き込み前にレーザー光源２０の光量が所定の出力となるように光量調整した後、光ビームが画像形成領域外を走査している時期に、例えば１走査毎に光量調整制御を行う光量調整点灯モードを実施する（ＡＰＣモード）。
【００３６】
図４は、本実施の形態に係るレーザー駆動ユニット５４の光量制御装置５６の概略を示すブロック図である。
【００３７】
この光量制御装置５６には、第１の入力部１００、第２の入力部１０２が設けられている。
【００３８】
第１の入力部１００には、主走査Ｎライン（本実施の形態では、２ライン）分の画像データが信号線１０４を介して入力される。また、第２の入力部１０２には、主走査Ｎライン（本実施の形態では、２ライン）分のＡＰＣ制御用データが信号線１０６を介して入力される。
【００３９】
第１の入力部１００及び第２の入力部１０２の下流側には、入力選択部１０８が設けられており、画像書込モード、ＡＰＣモードの各モードに応じて、例えばシーケンスコントロールユニット６４からモード選択信号が入力され、第１の入力部１００又は第２の入力部１０２の何れかが選択される。なお、以下の説明では、入力画像データを受け付ける第１の入力部１００が選択されたときを例にとり説明する。
【００４０】
入力選択部１０８に一端部が接続されたＮ本（本実施の形態では、２本）のデータ信号線１１０、１１２は、発光素子選択部１１４に設けられたＮ個（本実施の形態では、２個）の入力端１１６Ａ、１１６Ｂにそれぞれ接続されている。
【００４１】
すなわち、発光素子選択部１１４には、主走査を２ラインずつ同時に実行するための２ライン分の画像データが並列に入力されるようになっている。
【００４２】
発光素子選択部１１４の入力端１１６Ａは、直結信号線１１８を介して出力端１２０Ａに接続されている。
【００４３】
また、発光素子選択部１１４の入力端１１６Ｂは、切替スイッチ１２２のコモン端子１２２Ａに接続されている。
【００４４】
切替スイッチ１２２は、所謂１回路２接点構造であり、切替制御部１２４からの信号に基づいて、接点が切り替わるようになっている。この切替スイッチ１２２の第１の接点１２２Ｂは出力端１２０Ｂに接続され、第２の接点１２２Ｃは出力端１２０Ｃに接続されている。
【００４５】
ここで、出力端１２０ＡにはＬＤドライバ１２６Ａを介して発光素子２０Ａが接続され、出力端１２０ＢにはＬＤドライバ１２６Ｂを介して発光素子２０Ｂが接続され、出力端１２０ＣにはＬＤドライバ１２６Ｃを介して発光素子２０Ｃが接続されている。
【００４６】
前記切替制御部１２４には、外部（例えば、シーケンスコントロールユニット６４）から解像度指定信号が入力されるようになっている。解像度指定信号は、ここでは、２種類の解像度なので、Ｈ又はＬの二値信号である。この解像度指定信号に基づいて、前記切替スイッチ１２２の接点が切り替えられるようになっている。
【００４７】
すなわち、指定された解像度が１２００ｄｐｉの場合（例えば、解像度指定信号として、Ｈ信号が入力した場合）には切替スイッチ１２２は第１の接点１２２Ｂに切り替えられ、この結果、発光素子２０Ａ、２０Ｂによる同時主走査が実行される（主走査ピッチが２１μｍ）。
【００４８】
また、指定された解像度が６００ｄｐｉの場合（例えば、解像度指定信号として、Ｌ信号が入力した場合）には切替スイッチ１２２は第２の接点１２２Ｃに切り替えられ、この結果、発光素子２０Ａ、２０Ｃによる同時主走査が実行される（主走査ピッチが４２μｍ）。
【００４９】
上記構成の本実施の形態では、切替スイッチ１２２は１個であり、その数は、発光素子２０Ａ、２０Ｂ、２０Ｃの数と入力端１１６Ａ、１１６Ｂの数の差（Ｒ−Ｎ）となっている。
【００５０】
すなわち、本実施の形態では、入力端数をＮ、発光素子数をＲとして一般化すると、以下の条件を満たすように構成されている。
（条件１）  入力端の数（データ信号線の系統数）Ｎ≧２
（条件２）  入力端の数Ｎ＜発光素子の数Ｒ
（条件３）  Ｎ−１個の入力端が発光素子が接続された出力端と常時接続
（条件４）  Ｒ−Ｎ個の切替スイッチ
以下に本実施の形態の作用を説明する。
【００５１】
画像形成装置では、シーケンスコントロールユニット６６から画像の形成が指示されると、光走査装置１６の駆動制御を開始する。これにより、感光体ドラム１４が帯電器２４によって一様に帯電され、ビデオコントロールユニット６６によって生成された画像データが、データ制御装置５８を通り、光量制御装置５６で所定の光量に制御された後、レーザー光源２０を駆動して、用紙３６に形成するべき画像に対応して光ビームを照射する。これにより、感光体ドラム１４上に静電潜像が形成される。
【００５２】
感光体ドラム１４上に形成された静電潜像は、現像器２６によりトナーが供給されて現像される。現像されたトナー像は、転写器２８によって用紙３６に転写される。また、トナー像が転写された用紙３６は、排出トレイ４４への搬送中に定着器３８によって定着され、排出される。
【００５３】
ここで、本実施の形態の画像形成装置１０では、画像形成時の解像度として、６００ｄｐｉ又は１２００ｄｐｉを選択できるようになっている。主として副走査方向の解像度を異ならせるために、所謂プロセススピードを変更すると、１２００ｄｐｉの解像度の場合、６００ｄｐｉの解像度の約２倍の速度がかかることになる。
【００５４】
そこで、本実施の形態では、予め６００ｄｐｉの解像度に対応する発光素子の配列と、１２００ｄｐｉの解像度に対応する発光素子の配列とを共有し、切替スイッチ１２２の切り替え動作によって、何れか選択するようにした。
【００５５】
すなわち、本実施の形態に適用したＬＤ光源アレイ２０は、３個の発光素子２０Ａ、２０Ｂ、２０Ｃを備えている。
【００５６】
図３に示される如く、３個の発光素子２０Ａ、２０Ｂ、２０Ｃから照射される感光体ドラム１４上の主走査ラインピッチ寸法の内、発光素子２０Ａ−発光素子２０Ｂ間は２１μｍ（１２００ｄｐｉ相当）であり、発光素子２０Ａ−発光素子２０Ｃ間は４２μｍとなっている。
【００５７】
この構成において、発光素子２０Ａは常時適用し、印刷時の解像度指定が１２００ｄｐｉの場合は発光素子２０Ｂを選択すればよい。また、印刷時の解像度指定が６００ｄｐｉの場合は、発光素子２０Ｃを選択すればよい。
【００５８】
この発光素子２０Ｂ又は発光素子２０Ｃの選択は、光量制御装置５６に設けられた発光素子選択部１１４よって実行される。
【００５９】
発光素子選択部１１４の入力端１１６Ａは、直結信号線１１８を介して出力端１２０Ａに接続されているため、画像形成時には発光素子２０Ａは常時点灯する。すなわち、条件３を換言すれば、N−１個の発光素子（本実施例においては発光素子２０Ａ）が画像形成時に必ず使用される。
【００６０】
一方、発光素子選択部１１４の入力端１１６Ｂは、切替スイッチ１２２のコモン端子１２２Ａに接続され、切替制御部１２４に入力される解像度指定信号に基づいて、切替スイッチ１２２の接点が切り替えられる。
【００６１】
解像度指定信号によって指定された解像度が１２００ｄｐｉの場合には切替スイッチ１２２は第１の接点１２２Ｂに切り替えられ、この結果、発光素子２０Ａ、２０Ｂによる同時主走査が実行され、主走査ピッチが２１μｍとなる。
【００６２】
また、指定された解像度が６００ｄｐｉの場合には切替スイッチ１２２は第２の接点１２２Ｃに切り替えられ、この結果、発光素子２０Ａ、２０Ｃによる同時主走査が実行され、主走査ピッチが４２μｍとなる。
【００６３】
すなわち、プロセススピードを変更することなく、解像度の変更が可能となる。
【００６４】
なお、本実施の形態では、画像データ信号を例にとり説明したが、ＡＰＣコントロール時においても、同様の効果を奏することができる。この場合、入力選択部１０８において、モード選択信号に基づいて、第２の入力部１０２が選択されるのみであり、その後の制御（解像度に応じた切替スイッチ１２２の動作等）は全く同じである。
【００６５】
また、本実施の形態では、前述した一般化した条件に合致する構成として、２個の入力端１１６Ａ、１１６Ｂ（２本のデータ信号線）と、３個の発光素子２０Ａ、２０Ｂ、２０Ｃ（３個の光源）と、１個の切替スイッチ１２２を組み合わせた構成を示したが、当該条件に合えば、それぞれの数に限定されるものではない。例えば、以下の変形例１〜変形例３に示すような構成であってもよい。
（変形例１）
図５は、ＬＤ光源アレイの発光素子の数Ｒが４個（発光素子２０Ａ〜２０Ｄ）、データ信号線の数Ｎが３個（入力端１１６Ａ〜１１６Ｃ）の場合の変形例である。
【００６６】
前述した条件１〜条件４に当てはめると、切替スイッチはＲ−Ｎであるので、１個（切替スイッチ１２２）であり、常時接続される発光素子の数は２個（Ｎ−１）となっている。
【００６７】
このため、変形例１は、条件１〜条件４を満たすことになる。
【００６８】
この変形例１では、例えば、3種類の解像度の変更を実現する。
【００６９】
すなわち、例えば、１２００ｄｐｉ、６００ｄｐｉ、４００ｄｐｉの３種類の解像度の選択の場合は、以下の制御が実行される。
【００７０】
１２００ｄｐｉの場合は、常時接続（使用）されている発光素子２０Ａ、発光素子２０Ｂのみを用いる。
【００７１】
６００ｄｐｉの場合は、常時接続されている発光素子２０Ａと、切替スイッチにより選択された発光素子２０Ｃを適用する。この場合、発光素子２０Ｂは無点灯データとする。
【００７２】
４００ｄｐｉの場合は、常時接続されている発光素子２０Ａと、切替スイッチにより選択された発光素子２０Ｄを適用する。この場合、発光素子２０Ｂは無点灯データとする。
（変形例２）
図６は、ＬＤ光源アレイの発光素子の数がＲが４個（発光素子２０Ａ〜２０Ｄ）、データ信号線の数Ｎが２個（入力端１１６Ａ、１１６Ｂ）の場合の変形例である。
【００７３】
前述した条件１〜条件４に当てはめると、切替スイッチはＲ−Ｎであるので、２個（切替スイッチ１２２Ａ、１２２Ｂ）であり、常時接続（使用）される発光素子の数は１個（Ｎ−１）となっている。このため、変形例２は、条件１〜条件４を満たすことになる。
【００７４】
この変形例２では、前記変形例１に比べてより多くの種類の解像度の変更が実現可能である。
（変形例３）
図７は、ＬＤ光源アレイの発光素子の数がＲが８個（発光素子２０Ａ〜２０Ｈ）、データ信号線の数Ｎが４個（入力端１１６Ａ〜１１６Ｄ）の場合の変形例である。
【００７５】
前述した条件１〜条件４に当てはめると、切替えスイッチはＲ−Ｎであるので、４個（切替スイッチ１２２Ａ〜１２２Ｄ）であり、常時接続（使用）される発光素子の数は３個（Ｎ−１）となっている。このため、変形例３は、条件１〜条件４を満たすことになる。
【００７６】
この変形例３では、前記変形例１及び変形例２に比べてより多くの種類の解像度の変更が実現可能である。
【図面の簡単な説明】
【００７７】
【図１】本実施の形態に係る画像形成装置の概略構成図である。
【図２】画像形成装置の光走査装置の制御系を示すブロック図である。
【図３】感光体ドラム１４上の主走査ラインピッチ寸法を示す概念図である。
【図４】本実施の形態に係るレーザー駆動ユニット５４の光量制御装置５６の概略を示すブロック図である。
【図５】本実施の形態の変形例１に係る発光素子選択部の配線パターン図である。
【図６】本実施の形態の変形例２に係る発光素子選択部の配線パターン図である。
【図７】本実施の形態の変形例３に係る発光素子選択部の配線パターン図である。
【符号の説明】
【００７８】
１０    画像形成装置
１２    ケーシング
１４    感光体ドラム（画像形成部）
１６    光走査装置（画像形成部）
１８    筐体
２０    レーザー光源アレイ（画像形成部）
２０Ａ、２０Ｂ、２０Ｃ    発光素子
２２    回転多面鏡（画像形成部）
２３    ミラー（画像形成部）
２４    帯電器（画像形成部）
２６    現像器（画像形成部）
２８    転写器（画像形成部）
３０    クリーナー（画像形成部）
３２    用紙トレイ
３４    手差しトレイ
３６    用紙
３８    定着器（画像形成部）
４０    加圧ローラ
４２    加熱ローラ
４４    排出トレイ
４６    光出力装置
４８    コリメータレンズ
５０    シリンドリカルレンズ
５２Ａ、５２Ｂ    ｆθレンズ
５４    レーザー駆動ユニット（点灯制御手段）
５６    光量制御装置（点灯制御手段）
５８    データ制御装置（点灯制御手段）
６０、６２    伝送ライン
６４    シーケンスコントロールユニット
６６    ビデオコントロールユニット
６８    ＳＯＳセンサ
１００    第１の入力部
１０２    第２の入力部
１０４    信号線
１０６    信号線
１０８    入力選択部
１１０、１１２    データ信号線
１１４    発光素子選択部（選択手段）
１１６Ａ、１１６Ｂ    入力端
１１８    直結信号線
１２０Ａ、１２０Ｂ、１２０Ｃ    出力端
１２２    切替スイッチ
１２２Ａ    コモン端子
１２２Ｂ    第１の接点
１２２Ｃ    第２の接点
１２４    切替制御部（選択手段）
１２６Ａ、１２６Ｂ、１２６Ｃ    ＬＤドライバ
【図１】
2010099961.tif 000003
【図２】
2010099961.tif 000004
【図３】
2010099961.tif 000005
【図４】
2010099961.tif 000006
【図５】
2010099961.tif 000007
【図６】
2010099961.tif 000008
【図７】
2010099961.tif 000009